(57)【要約】【課題】コア部にギャップを設けることなく、第１巻線およびその周辺のコア部分で構成される１つのチョークコイル部と、第２巻線およびその周辺のコア部分で構成される他のチョークコイル部とを実質的に独立した２個のチョークコイルと等価に機能させる。【解決手段】第１巻線５が巻回された第１コア部２と、第２巻線６が巻回された第２コア部３と、第１コア部２および第２コア部３のそれぞれに接して接合されて、第１コア部２と共に第１閉磁路ＭＣ１を形成すると共に、第２コア部３と共に第２閉磁路ＭＣ２を形成する第３コア部４とを備え、第３コア部４は、第１コア部２を構成する磁性材の比初透磁率μｉおよび第２コア部３を構成する磁性材の比初透磁率μｉよりも高い比初透磁率μｉの磁性材で構成されている。【選択図】図２
2014123639.tif 000002
【特許請求の範囲】
【請求項１】
第１巻線が巻回された第１コア部と、
第２巻線が巻回された第２コア部と、
前記第１コア部および前記第２コア部のそれぞれに接して接合されて、当該第１コア部と共に第１閉磁路を形成すると共に、当該第２コア部と共に第２閉磁路を形成する第３コア部とを備え、
前記第３コア部は、前記第１コア部を構成する磁性材の比初透磁率および前記第２コア部を構成する磁性材の比初透磁率よりも高い比初透磁率の磁性材で構成されているインターリーブ用ＰＦＣチョークコイル。
【発明の詳細な説明】
【技術分野】
【０００１】
本発明は、インターリーブ方式のＰＦＣ回路（力率改善回路）に使用するチョークコイルに関するものであり、特に、２つの巻線が形成されているインターリーブ用ＰＦＣチョークコイルに関するものである。
【背景技術】
【０００２】
この種のインターリーブ用ＰＦＣチョークコイルとして、下記特許文献１に開示されたインターリーブ用ＰＦＣチョークコイル（以下、単に「チョークコイル」ともいう）が知られている。このチョークコイルは、中脚部、中脚部の両側に位置する外側脚部および中脚部と外側脚部とを連絡する連絡部とを有してＥ型コアにそれぞれ構成されたフェライト製の第１および第２の磁気コアと、第１の磁気コアの中脚部の外周に巻回された第１巻線（第１コイル巻線）および第２の磁気コアの中脚部に巻回される第２巻線（第２コイル巻線）と、平板状（Ｉ型）に構成されたフェライト製の第３の磁気コアとを備え、第１および第２の磁気コアは、第３の磁気コアを挟んで外側脚部が相互に突き合わされ、かつ各々の中脚部と第３の磁気コアとの間にはギャップが設けられている。
【０００３】
このチョークコイルでは、上記したギャップの存在により、第１の磁気コアの中脚部を通過した磁束は、平板状の第３の磁気コアにおいて左右に分かれて第１の磁気コアの各外側脚部に向かい、第２の磁気コアの中脚部を通過した磁束は、平板状の第３の磁気コアにおいて左右に分かれて第２の磁気コアの各外側脚部に向かうため、第１および第２の磁気コアの両方の中脚部を通って大きく回ろうとする磁束の発生が回避されている。この結果、このチョークコイルによれば、第１巻線およびその周辺のコア部分で第１のチョークコイル部が構成され、第２巻線およびその周辺のコア部分で第２のチョークコイル部が構成されることになり、しかも両者の結合は殆ど無いことから、実質的に独立した２個のチョークコイルと等価に機能することが可能になっている。
【先行技術文献】
【特許文献】
【０００４】
【特許文献１】特開２０１０−２５８３９５号公報（第５−６頁、第９図）
【発明の概要】
【発明が解決しようとする課題】
【０００５】
ところが、上記したインターリーブ用ＰＦＣチョークコイルには、以下のような改善すべき課題が存在している。すなわち、インターリーブ用ＰＦＣチョークコイルでは、上記したように、ギャップの存在により、第１巻線およびその周辺のコア部分で構成される第１のチョークコイル部と、第２巻線およびその周辺のコア部分で構成される第２のチョークコイル部とを実質的に独立した２個のチョークコイルと等価に機能させている。このため、このインターリーブ用ＰＦＣチョークコイルには、ギャップにおいて漏洩磁束が常に発生し、この漏洩磁束がインターリーブ用ＰＦＣチョークコイルの周辺に配置された電子回路に影響を与えることがあるため、これを改善することが望まれている。
【０００６】
本発明は、かかる課題を改善すべくなされたものであり、コア部にギャップを設けることなく、第１巻線およびその周辺のコア部分で構成される１つのチョークコイル部と、第２巻線およびその周辺のコア部分で構成される他のチョークコイル部とを実質的に独立した２個のチョークコイルと等価に機能させ得るインターリーブ用ＰＦＣチョークコイルを提供することを主目的とする。
【課題を解決するための手段】
【０００７】
上記目的を達成すべく請求項１記載のインターリーブ用ＰＦＣチョークコイルは、第１巻線が巻回された第１コア部と、第２巻線が巻回された第２コア部と、前記第１コア部および前記第２コア部のそれぞれに接して接合されて、当該第１コア部と共に第１閉磁路を形成すると共に、当該第２コア部と共に第２閉磁路を形成する第３コア部とを備え、前記第３コア部は、前記第１コア部を構成する磁性材の比初透磁率および前記第２コア部を構成する磁性材の比初透磁率よりも高い比初透磁率の磁性材で構成されている。
【発明の効果】
【０００８】
請求項１記載のインターリーブ用ＰＦＣチョークコイルによれば、第１巻線が巻回された第１コア部と、第２巻線が巻回された第２コア部とを、第１コア部および第２コア部の比初透磁率よりも比初透磁率が高い（すなわち、磁束をより引き込みやすい）第３コア部に面的に接して（ギャップが存在しない状態で）接合したことにより、ギャップからの漏れ磁束の発生を回避しつつ、第１巻線および第２巻線を実質的に独立したコイル（チョークコイル）として機能させることができる。
【図面の簡単な説明】
【０００９】
【図１】インターリーブ用ＰＦＣチョークコイル１の構成を示す斜視図である。
【図２】図１のＷ−Ｗ線断面図である。
【図３】他のインターリーブ用ＰＦＣチョークコイル１の構成を示す断面図である。
【図４】インターリーブ方式のＰＦＣ回路１００の構成を示す構成図である。
【図５】インターリーブ用ＰＦＣチョークコイル１Ａの構成を示す断面図である。
【図６】インターリーブ用ＰＦＣチョークコイル１Ｂの構成を示す断面図である。
【発明を実施するための形態】
【００１０】
以下、添付図面を参照して、インターリーブ用ＰＦＣチョークコイル（チョークコイル）の実施の形態について説明する。
【００１１】
まず、チョークコイル１の構成について、図１，２を参照して説明する。
【００１２】
チョークコイル１は、図１，２に示すように、第１コア部２、第２コア部３、第３コア部４、第１巻線５および第２巻線６を備えている。
【００１３】
第１コア部２は、一例として、図１，２に示すようにＵ型コアで構成されている。具体的には、第１コア部２は、同一の柱状形状に形成された一対の脚部１１，１２と、柱状形状の連結部１３とを備え、連結部１３の各端部に脚部１１，１２がそれぞれ一体的に連結されることにより、全体形状がＵ字型に形成されている。
【００１４】
第２コア部３も、一例として、図１，２に示すように第１コア部２と同一形状のＵ型コアで構成されている。この構成により、第２コア部３は、脚部１１，１２と同一の柱状形状に形成された一対の脚部２１，２２と、連結部１３と同一の柱状形状に形成された連結部２３とを備え、連結部２３の各端部に脚部２１，２２がそれぞれ一体的に連結されることにより、全体形状がＵ字型に形成されている。また、第１コア部２および第２コア部３は、一例としてダスト（圧粉）コアで形成されて、その比初透磁率μｉが１０〜２００程度に規定されている。また、コア材（磁性材）としては、飽和磁束密度の高い、Ｆｅ−Ａｌ−Ｓｉ、Ｆｅ−Ｓｉ、アモルファス、超微結晶軟磁性などの金属系軟磁性合金が使用されている。
【００１５】
第３コア部４は、一例として、図１，２に示すように、直方体形状に形成されたＩ型コアで構成されている。また、第３コア部４は、第１コア部２および第２コア部３の磁性材よりも高い比初透磁率μｉの磁性材（一例としてフェライト）で形成されている。なお、フェライトに限らず、第１コア部２および第２コア部３よりも高い比初透磁率μｉの磁性材である限り、任意の種類の磁性材を用いることができる。この構成により、第１コア部２および第２コア部３の比初透磁率μｉは１０００〜数万程度に規定されている。
【００１６】
第１コア部２、第２コア部３および第３コア部４は、図１，２に示すように、第３コア部４を挟んで第１コア部２の脚部１１の端面と第２コア部３の脚部２１の端面とが対向すると共に、第１コア部２の脚部１２の端面と第２コア部３の脚部２２の端面とが対向し、かつ各脚部１１，２１，１２，２２のこれらの端面が第３コア部４に面的に接して接合された状態で、不図示の接着剤や接着テープや締め付け金具などによって一体的に組み立てられている。これにより、チョークコイル１は、各コア部２，３，４間にギャップが存在しない構成になっている。また、第１コア部２および第２コア部３は、第３コア部４を基準として面対称に配設されている。
【００１７】
第１巻線５は、第１コア部２における連結部１３の外周に巻回されている。また、第１巻線５の各端部３１，３２は、接続端子として構成されている。第２巻線６は、第２コア部３における連結部２３の外周に巻回されている。また、第２巻線６の各端部４１，４２は、接続端子として構成されている。また、第１巻線５および第２巻線６のターン数は同一に規定されている。
【００１８】
なお、チョークコイル１の第１巻線５および第２巻線６については、上記したように、対応するコア部２，３における連結部１３，２３にまとめて巻回する構成に代えて、図３に示すように、第１巻線５については、対応する第１コア部２における一対の脚部１１，１２に分割して巻回し、第２巻線６については、対応する第２コア部３における一対の脚部２１，２２に分割して巻回する構成を採用することもできる。
【００１９】
次いで、一例として、チョークコイル１を使用して構成されるインターリーブ方式のＰＦＣ回路１００について、図４を参照して説明する。
【００２０】
ＰＦＣ回路１００は、一対の入力端子１０１ａ，１０１ｂ、チョークコイル１、２つのスイッチ素子（例えば、ＦＥＴなどの半導体スイッチ素子）１０２，１０３、２つの整流素子（例えば、ダイオード）１０４，１０５、コンデンサ１０６および一対の出力端子１０７ａ，１０７ｂを備えている。このＰＦＣ回路１００では、入力端子１０１ｂおよび出力端子１０７ｂが共に接続される基準ライン１０８の電位が基準電位に規定されている。
【００２１】
具体的には、チョークコイル１における第１巻線５の端部３１および第２巻線６の端部４１は、入力端子１０１ａに接続されている。また、第１巻線５の端部３２は、スイッチ素子１０２を介して基準ライン１０８に接続されると共に、整流素子１０４を介して出力端子１０７ａに接続されている。また、第２巻線６の端部４２は、スイッチ素子１０３を介して基準ライン１０８に接続されると共に、整流素子１０５を介して出力端子１０７ａに接続されている。また、コンデンサ１０６は、出力端子１０７ａ，１０７ｂ間に接続されている。
【００２２】
続いて、チョークコイル１およびＰＦＣ回路１００の動作について説明する。
【００２３】
図４に示すように、整流回路２０１が、交流源２００から出力されている交流電圧Ｖａｃを整流（例えば全波整流）して生成した脈流電圧Ｖｉをチョークコイル１の一対の入力端子１０１ａ，１０１ｂ間に供給している状態において、チョークコイル１では、各スイッチ素子１０２，１０３が、互いの位相差が１８０度に保たれた駆動パルスＳｄ１，Ｓｄ２の供給を受けて、オン・オフ動作を繰り返している。
【００２４】
この状態において、チョークコイル１における第１巻線５が巻回された第１コア部２内には、図２，３において実線で示すように、第３コア部４を経由する第１閉磁路ＭＣ１が発生する。また、チョークコイル１における第２巻線６が巻回された第２コア部３内にも、同図において実線で示すように、第３コア部４を経由する第２閉磁路ＭＣ２が発生する。
【００２５】
また、このＰＦＣ回路１００では、図２，３に示すように、第１閉磁路ＭＣ１および第２閉磁路ＭＣ２の双方が発生する第３コア部４内において、第１巻線５によって発生する磁束の向きと、第２巻線６によって発生する磁束の向きが、これらの磁束が互いに打ち消し合う向きとなるように、第１巻線５および第２巻線６の巻回方向や、ＰＦＣ回路１００での電流の供給方向が予め規定されている。これにより、第３コア部４は、磁気飽和し難いため、飽和磁束密度が低いものの比初透磁率μｉが高いフェライトを使用することが可能になっている。また、各コア部２，３，４間にギャップが存在しない構成のため、ギャップの存在に起因した磁束漏れの発生が大幅に低減されている。
【００２６】
この場合、第１巻線５によって第１コア部２内に発生させられた磁束が、第３コア部４を越えて第２コア部３側に向かったり、第２巻線６によって第２コア部３内に発生させられた磁束が、第３コア部４を越えて第１コア部２側に向かったりする状態が発生するときには、チョークコイル１内に図２，３において破線で示す閉磁路ＭＣ３が発生する。この閉磁路ＭＣ３が発生している状態では、第１巻線５および第２巻線６は、互いに磁気的に結合している状態（相互干渉する磁束が発生している状態）にあるため、ＰＦＣ回路１００において、独立したコイル（チョークコイル）として機能することが困難になる。
【００２７】
しかしながら、このチョークコイル１では、第１コア部２および第２コア部３の比初透磁率μｉよりも高い比初透磁率μｉの第３コア部４が、第１コア部２の各脚部１１，１２間に、各脚部１１，１２に接して結合されているため、第１巻線５によって第１コア部２内に発生させられた磁束は、その殆どが第３コア部４を含む第１閉磁路ＭＣ１に向かい（第３コア部４内に引き込まれ）、第３コア部４よりも低い比初透磁率μｉの第２コア部３に向かう量は極めて少ない。同様にして、第２コア部３の各脚部２１，２２間にも、第３コア部４が各脚部２１，２２に接して結合されているため、第２巻線６によって第２コア部３内に発生させられた磁束は、その殆どが第３コア部４を含む第２閉磁路ＭＣ２に向かい（第３コア部４内に引き込まれ）、第３コア部４よりも低い比初透磁率μｉの第１コア部２に向かう量は極めて少ない。
【００２８】
これにより、このチョークコイル１では閉磁路ＭＣ３の発生が大幅に低減されているため、ＰＦＣ回路１００において、チョークコイル１の第１巻線５はその周辺のコア部（第１コア部２および第３コア部４）とで独立した１つのチョークコイルとして機能し、チョークコイル１の第２巻線６はその周辺のコア部（第２コア部３および第３コア部４）とで独立した他の１つのチョークコイルとして機能することから、ＰＦＣ回路１００は、インターリーブ方式で正常に動作して、入力した脈流電圧Ｖｉを、リップルの小さい出力電圧Ｖｏに変換して、出力端子１０７ａ，１０７ｂから出力する。
【００２９】
このように、このチョークコイル１によれば、第１巻線５が巻回された第１コア部２と、第２巻線６が巻回された第２コア部３とを、第１コア部２および第２コア部３の比初透磁率μｉよりも比初透磁率μｉが高い（すなわち、磁束をより引き込みやすい）第３コア部４に面的に接して（ギャップが存在しない状態で）接合したことにより、ギャップからの漏れ磁束の発生を回避しつつ、第１巻線５および第２巻線６を実質的に独立したコイル（チョークコイル）として機能させることができる。
【００３０】
また、このチョークコイル１によれば、第１コア部２を含む第１閉磁路ＭＣ１および第２コア部３を含む第２閉磁路ＭＣ２のそれぞれの一部に、第１コア部２および第２コア部３の比初透磁率μｉよりも高い比初透磁率μｉの第３コア部４が配設されているため、第１コア部２、第２コア部３および第３コア部４のすべてをダストコアにする構成と比較して、第１巻線５および第２巻線６のインダクタンスを大きくすることができ、これにより、チョークコイル１の小型化を図ることができる。
【００３１】
また、上記のチョークコイル１では、第１コア部２および第２コア部３をＵ型コアで構成しているが、図５に示すチョークコイル１Ａのように、Ｅ型コアで構成することもできる。以下、このチョークコイル１Ａについて説明する。なお、チョークコイル１と同一の構成については同一の符号を付して重複する説明を省略する。
【００３２】
チョークコイル１Ａは、図５に示すように、第１コア部２Ａ、第２コア部３Ａ、第３コア部４、第１巻線５および第２巻線６を備えている。
【００３３】
第１コア部２Ａは、図５に示すようにＥ型コアで構成されている。具体的には、第１コア部２Ａは、同一の柱状形状に形成された一対の脚部（外側脚部）１１，１２と、内側脚部１４と、柱状形状の連結部１３とを備え、連結部１３の各端部に脚部１１，１２がそれぞれ一体的に連結されると共に、連結部１３の中央部に内側脚部１４が一体的に連結されることにより、全体形状がＥ字型に形成されている。
【００３４】
第２コア部３Ａも、図５に示すように、第１コア部２Ａと同一形状のＥ型コアで構成されている。この構成により、第２コア部３Ａは、脚部１１，１２と同一の柱状形状に形成された一対の脚部２１，２２と、内側脚部１４と同一の柱状形状に形成された内側脚部２４と、連結部１３と同一の柱状形状に形成された連結部２３とを備え、連結部２３の各端部に脚部２１，２２がそれぞれ一体的に連結されると共に、連結部１３の中央部に内側脚部２４が一体的に連結されることにより、全体形状がＥ字型に形成されている。また、第１コア部２Ａおよび第２コア部３Ａは、第１コア部２および第２コア部３と同一のコア材（磁性材）で形成されている。
【００３５】
第１コア部２Ａ、第２コア部３Ａおよび第３コア部４は、図５に示すように、第３コア部４を挟んで、第１コア部２Ａの脚部１１の端面と第２コア部３Ａの脚部２１の端面とが対向し、第１コア部２Ａの脚部１２の端面と第２コア部３Ａの脚部２２の端面とが対向し、かつ第１コア部２Ａの内側脚部１４の端面と第２コア部３Ａの内側脚部２４の端面とが対向すると共に、各脚部１１，２１，１２，２２と各内側脚部１４，２４のこれらの端面が第３コア部４に面的に接して接合された状態で、不図示の接着剤や接着テープや締め付け金具などによって一体的に組み立てられている。これにより、チョークコイル１Ａは、各コア部２Ａ，３Ａ，４間にギャップが存在しない構成になっている。また、第１コア部２Ａおよび第２コア部３Ａは、第３コア部４を基準として面対称に配設されている。
【００３６】
第１巻線５は、ボビンなどの不図示の絶縁材を介在させた状態で、第１コア部２Ａにおける内側脚部１４の外周に巻回されている。第２巻線６は、ボビンなどの不図示の絶縁材を介在させた状態で、第２コア部３Ａにおける内側脚部２４の外周に巻回されている。
【００３７】
このチョークコイル１Ａを備えたＰＦＣ回路１００の作動状態において、チョークコイル１Ａにおける第１巻線５が巻回された第１コア部２Ａ内には、図５において実線で示すように、内側脚部１４から、第３コア部４、脚部１１および連結部１３を経由して内側脚部１４に至る第１閉磁路ＭＣ１ａと、内側脚部１４から、第３コア部４、脚部１２および連結部１３を経由して内側脚部１４に至る他の第１閉磁路ＭＣ１ｂとが発生する。
【００３８】
また、チョークコイル１Ａにおける第２巻線６が巻回された第２コア部３Ａ内にも、図５において実線で示すように、内側脚部２４から、連結部２３、脚部２１および第３コア部４を経由して内側脚部１４に至る第２閉磁路ＭＣ２ａと、内側脚部２４から、連結部２３、脚部２２および第３コア部４を経由して内側脚部１４に至る第２閉磁路ＭＣ２ｂとが発生する。
【００３９】
また、このチョークコイル１Ａを備えたＰＦＣ回路１００では、図５に示すように、第１閉磁路ＭＣ１ａ，ＭＣ１ｂおよび第２閉磁路ＭＣ２ａ，ＭＣ２ｂの双方が発生する第３コア部４内において、第１巻線５によって発生する磁束の向きと、第２巻線６によって発生する磁束の向きが、これらの磁束が互いに打ち消し合う向きとなるように、第１巻線５および第２巻線６の巻回方向や、ＰＦＣ回路１００での電流の供給方向が予め規定されている。これにより、第３コア部４は、磁気飽和し難いために、飽和磁束密度が低いものの比初透磁率μｉが高いフェライトを使用することが可能になっている。また、各コア部２Ａ，３Ａ，４間にギャップが存在しない構成のため、ギャップの存在に起因した磁束漏れの発生が大幅に低減されている。
【００４０】
この場合、第１巻線５によって第１コア部２Ａ内に発生させられた磁束が、第３コア部４を越えて第２コア部３Ａ側に向かったり、第２巻線６によって第２コア部３Ａ内に発生させられた磁束が、第３コア部４を越えて第１コア部２Ａ側に向かったりする状態が発生するときには、チョークコイル１Ａ内に図５において破線で示す閉磁路ＭＣ３が発生する。この閉磁路ＭＣ３が発生している状態では、第１巻線５および第２巻線６は、互いに磁気的に結合している状態（相互干渉する磁束が発生している状態）にあるため、ＰＦＣ回路１００において、独立したコイル（チョークコイル）として機能することが困難になる。
【００４１】
しかしながら、このチョークコイル１Ａにおいても、チョークコイル１と同様にして、第１コア部２Ａおよび第２コア部３Ａの比初透磁率μｉよりも高い比初透磁率μｉの第３コア部４が、第１コア部２Ａの各脚部１１，１２および内側脚部１４間に、各脚部１１，１２および内側脚部１４に接して結合されているため、第１巻線５によって第１コア部２Ａ内に発生させられた磁束は、その殆どが第３コア部４を含む第１閉磁路ＭＣ１ａ，ＭＣ１ｂに向かい（第３コア部４内に引き込まれ）、第３コア部４よりも低い比初透磁率μｉの第２コア部３Ａに向かう量は極めて少ない。同様にして、第２コア部３Ａの各脚部２１，２２および内側脚部２４間にも、第３コア部４が各脚部２１，２２および内側脚部２４に接して結合されているため、第２巻線６によって第２コア部３Ａ内に発生させられた磁束は、その殆どが第３コア部４Ａを含む第２閉磁路ＭＣ２ａ，ＭＣ２ｂに向かい（第３コア部４Ａ内に引き込まれ）、第３コア部４よりも低い比初透磁率μｉの第１コア部２Ａに向かう量は極めて少ない。
【００４２】
これにより、このチョークコイル１Ａでも閉磁路ＭＣ３の発生が大幅に低減されているため、ＰＦＣ回路１００において、チョークコイル１Ａの第１巻線５はその周辺のコア部（第１コア部２Ａおよび第３コア部４）とで独立した１つのチョークコイルとして機能し、チョークコイル１Ａの第２巻線６はその周辺のコア部（第２コア部３Ａおよび第３コア部４）とで独立した他の１つのチョークコイルとして機能することから、ＰＦＣ回路１００は、インターリーブ方式で正常に動作して、入力した脈流電圧Ｖｉを、リップルの小さい出力電圧Ｖｏに変換して、出力端子１０７ａ，１０７ｂから出力する。
【００４３】
したがって、このチョークコイル１Ａによれば、第１巻線５が巻回された第１コア部２Ａと、第２巻線６が巻回された第２コア部３Ａとを、第１コア部２Ａおよび第２コア部３Ａの比初透磁率μｉよりも比初透磁率μｉが高い（すなわち、磁束をより引き込みやすい）第３コア部４に面的に接して（ギャップが存在しない状態で）接合したことにより、ギャップからの漏れ磁束の発生を回避しつつ、第１巻線５および第２巻線６を実質的に独立したコイル（チョークコイル）として機能させることができる。
【００４４】
また、図６に示すように、リング型のコアを使用してチョークコイル１Ｂを構成することもできる。以下、このチョークコイル１Ｂについて説明する。なお、このチョークコイル１Ｂは、後述するようにチョークコイル１の構成と等価な構成を備えているため、チョークコイル１と同一の構成については同一の符号を付して重複する説明を省略する。
【００４５】
チョークコイル１Ｂは、図６に示すように、１つのリング型のコア部Ｍ、第３コア部４、第１巻線５および第２巻線６を備えている。
【００４６】
リング型のコア部Ｍは、一例として、センターラインＬを基準として面対称な平面視長方形の外形形状に構成されている。また、コア部Ｍの中央部（センターラインＬ上）には、第３コア部４の両端部が、コア部Ｍの内面に面的に接した状態で接合されている。また、コア部Ｍは、第１コア部２および第２コア部３などと同じ磁性材を使用したダスト（圧粉）コアで構成されている。
【００４７】
このリング型のコア部Ｍは、図６に示すように、センターラインＬを基準として、図中における左右方向に２つに分割して見たときに、コア部Ｍの左側の部位が、脚部１１，１２および連結部１３を備えた第１コア部２に相当し、コア部Ｍの右側の部位が、脚部２１，２２および連結部２３を備えた第２コア部３に相当する。
【００４８】
なお、チョークコイル１の構成とは異なり、チョークコイル１Ｂは、第１コア部２の脚部１１に相当する部位と、第２コア部３の脚部２１に相当する部位とが直接接して連結され、かつ第１コア部２の脚部１２に相当する部位と、第２コア部３の脚部２２に相当する部位とが直接接して連結された構成になっているが、チョークコイル１の構成と同様にして、第１コア部２の脚部１１に相当する部位と、第２コア部３の脚部２１に相当する部位とが第３コア部４に面的に接して接合されると共に、第１コア部２の脚部１２に相当する部位と、第２コア部３の脚部２２に相当する部位についても第３コア部４に面的に接して接合されている。
【００４９】
したがって、このチョークコイル１Ｂにおいても、第１コア部２および第２コア部３に相当するコア部Ｍの比初透磁率μｉよりも高い比初透磁率μｉの第３コア部４が、第１コア部２の各脚部１１，１２に相当する部位間に、この各部位に接して結合されているため、第１巻線５によって第１コア部２に相当する部位内に発生させられた磁束は、その殆どが第３コア部４を含む第１閉磁路ＭＣ１に向かい（第３コア部４内に引き込まれ）、第３コア部４よりも低い比初透磁率μｉの第２コア部３に相当する部位に向かう量は極めて少ない。同様にして、第２コア部３の各脚部２１，２２に相当する部位間にも、この各部位に接して第３コア部４が結合されているため、第２巻線６によって第２コア部３に相当する部位内に発生させられた磁束は、その殆どが第３コア部４を含む第２閉磁路ＭＣ２に向かい（第３コア部４内に引き込まれ）、第３コア部４よりも低い比初透磁率μｉの第１コア部２に相当する部位に向かう量は極めて少ない。
【００５０】
これにより、このチョークコイル１Ｂでも、閉磁路ＭＣ３の発生が大幅に低減されているため、ＰＦＣ回路１００において、チョークコイル１Ｂの第１巻線５はその周辺のコア部（コア部Ｍの左側の部位および第３コア部４）とで独立した１つのチョークコイルとして機能し、チョークコイル１Ｂの第２巻線６はその周辺のコア部（コア部Ｍの右側の部位および第３コア部４）とで独立した他の１つのチョークコイルとして機能することから、ＰＦＣ回路１００は、インターリーブ方式で正常に動作して、入力した脈流電圧Ｖｉを、リップルの小さい出力電圧Ｖｏに変換して、出力端子１０７ａ，１０７ｂから出力する。
【００５１】
したがって、このチョークコイル１Ｂによっても、チョークコイル１と同様にして、ギャップからの漏れ磁束の発生を回避しつつ、第１巻線５および第２巻線６を実質的に独立したコイル（チョークコイル）として機能させることができる。
【００５２】
また、コア部にギャップを設ける必要がないため、上記したチョークコイル１，１Ａ，１Ｂのように種々の形状のコアを使用して、チョークコイルを構成することができる。
【００５３】
なお、上記のインターリーブ方式のＰＦＣ回路１００は、昇圧型に構成されているが、図示はしないが、チョークコイル１，１Ａ，１Ｂは、降圧型のインターリーブ方式のＰＦＣ回路にも適用することができる。
【符号の説明】
【００５４】
１，１Ａ，１Ｂ  チョークコイル
２，２Ａ  第１コア部
３，３Ａ  第２コア部
４  第３コア部
５  第１巻線
６  第２巻線
ＭＣ１，ＭＣ１ａ．ＭＣ１ｂ  第１閉磁路
ＭＣ２，ＭＣ２ａ．ＭＣ２ｂ  第２閉磁路
【図１】
2014123639.tif 000003
【図２】
2014123639.tif 000004
【図３】
2014123639.tif 000005
【図４】
2014123639.tif 000006
【図５】
2014123639.tif 000007
【図６】
2014123639.tif 000008